(57)【要約】【課題】  つり銭を払い出す機能を備える装置か否かに拘わらず、印刷終了後、ユーザによる記録メディアの取り忘れを確実に防止できるようにする。【解決手段】  メディアリーダ１２に、記録メディア５の実装／非実装を検出するメディア装着検出手段を設ける。制御部１５は、表示／操作部１３に表示されるＵＩ画面からの指示に基づき、記録メディア５からメディアリーダ１２によって読み込んだメディアデータを用いて写真印刷を行う。また、制御部１５は、例えば、写真印刷が終了したことを認識すると、記録メディア装着検出手段の検出結果から記録メディア５の取り忘れがあるか否かを確認する処理を行い、記録メディア５の取り忘れが確認された場合には、表示／操作部１３に警告メッセージを表示し、記録メディア５の取り忘れがある旨をユーザに報知する。【選択図】  図１
2005085000.tif 000002
【特許請求の範囲】
【請求項１】
記録媒体読取ユニットに記録媒体を装着し、該記録媒体に記録された情報の印刷を行う画像形成装置において、
前記記録媒体読取ユニットに対して前記記録媒体が実装されているか未実装かを検出する記録媒体装着検出手段と、
印刷開始操作後における特定の動作条件に対応して、前記記録媒体の取り忘れの有無を前記記録媒体装着検出手段の検出結果に基づき確認する確認処理を行う記録媒体取り忘れ確認手段と、
前記記録媒体取り忘れ確認手段により前記記録媒体の取り忘れが確認された場合、その旨を報知する報知手段と
を具備することを特徴とする画像形成装置。
【請求項２】
前記記録媒体取り忘れ確認手段は、
最終印刷後の用紙の排出に対応して前記確認処理を行う
ことを特徴とする請求項１記載の画像形成装置。
【請求項３】
前記記録媒体取り忘れ確認手段は、
最終印刷の処理の終了に対応して前記確認処理を行う
ことを特徴とする請求項１記載の画像形成装置。
【請求項４】
印刷終了後、操作画面上に、終了を指示する終了ボタンを表示する表示制御手段
を具備し、
前記記録媒体取り忘れ確認手段は、
前記終了ボタンの押下に対応して前記確認処理を行う
ことを特徴とする請求項１記載の画像形成装置。
【請求項５】
印刷終了後、操作画面の表示を印刷メニュー画面に戻す表示制御手段
を具備し、
前記記録媒体取り忘れ確認手段は、
前記印刷メニュー画面に戻されたことに対応して前記確認処理を行う
ことを特徴とする請求項１記載の画像形成装置。
【請求項６】
印刷動作中、操作画面上に、印刷中止を指示する印刷中止ボタンを表示する表示制御手段
を具備し、
前記記録媒体取り忘れ確認手段は、
前記印刷中止ボタンの押下に対応して前記確認処理を行う
ことを特徴とする請求項１記載の画像形成装置。
【請求項７】
印刷終了後、操作画面上での領収書発行指示に基づき領収書を発行する領収書発行手段
を具備し、
前記記録媒体取り忘れ確認手段は、
前記領収書の発行に対応して前記確認処理を行う
ことを特徴とする請求項１記載の画像形成装置。
【請求項８】
事前に投入された金銭から、印刷枚数に応じた課金分を減算して逐次残額を算出する課金処理を行う課金手段
を具備し、
前記記録媒体取り忘れ確認手段は、
前記課金手段により算出された残額が無くなったことに対応して前記確認処理を行う
ことを特徴とする請求項１記載の画像形成装置。
【請求項９】
印刷後に排出トレイに排出される排出用紙が前記排出トレイ上にあるか否かを検出する排出用紙検出手段
を具備し、
前記記録媒体取り忘れ確認手段は、
印刷終了後、前記排出用紙が前記排出トレイから取り出されたか否かを前記排出用紙検出手段の検出出力に基づき認識する処理を行い、前記排出用紙が前記排出トレイから取り出されたことが認識されるのに対応して前記確認処理を行う
ことを特徴とする請求項１記載の画像形成装置。
【請求項１０】
前記記録媒体装着検出手段は、
実装時に前記記録媒体の電極部を受け入れるコネクタを介して該記録媒体との導通が得られるか否かのアクセスチェックを行い、該アクセスチェック結果に応じて前記記録媒体の実装または未実装を検出するアクセスチェック手段
から構成されることを特徴とする請求項１記載の画像形成装置。
【請求項１１】
前記記録媒体装着検出手段は、
前記ユニット内に設けられ、前記記録媒体の実装時または抜き取り時に前記記録媒体が通過する経路を挟んで上下に配置される発光素子及び受光素子から成り、前記受光素子の受光出力に基づき前記記録媒体の有無を検出する記録媒体検出手段
から構成されることを特徴とする請求項１記載の画像形成装置。
【請求項１２】
記録媒体読取ユニットに記録媒体を装着し、該記録媒体に記録された情報の印刷を行う画像形成装置において、
前記記録媒体読取ユニット内に設けられ、前記記録媒体の実装時または抜き取り時に前記記録媒体が通過する経路を挟んで上下に配置される発光素子及び受光素子から成り、前記受光素子の受光出力に基づき前記記録媒体の前記ユニットに対する実装または未実装を検出する記録媒体装着検出手段
を具備し、
印刷開始操作後における特定の動作条件に対応して、前記記録媒体の取り忘れの有無を前記記録媒体装着検出手段の検出結果に基づき確認する確認処理を行う
ことを特徴とする画像形成装置。
【請求項１３】
記録媒体読取ユニットに記録媒体を装着し、該記録媒体に記録された情報の印刷を行う画像形成装置の記録媒体取り忘れ防止制御方法において、
前記記録媒体読取ユニットに対して前記記録媒体が実装されているか未実装かを検出する装着検出ステップと、
印刷開始操作後における特定の動作条件に対応して、前記記録媒体の取り忘れの有無を前記装着検出ステップでの検出結果に基づき確認する確認処理を行う記録媒体取り忘れ確認ステップと、
前記記録媒体取り忘れ確認ステップにより前記記録媒体の取り忘れが確認された場合、その旨を報知する報知ステップと
を有することを特徴とする記録媒体取り忘れ防止制御方法。
【請求項１４】
前記記録媒体取り忘れ確認ステップでは、
最終印刷後の用紙の排出に対応して前記確認処理を行う
ことを特徴とする請求項１３記載の記録媒体取り忘れ防止制御方法。
【請求項１５】
前記記録媒体取り忘れ確認ステップでは、
最終印刷の処理の終了に対応して前記確認処理を行う
ことを特徴とする請求項１３記載の記録媒体取り忘れ防止制御方法。
【請求項１６】
印刷終了後、操作画面上に、終了を指示する終了ボタンを表示する表示制御ステップ
を有し、
前記記録媒体取り忘れ確認ステップでは、
前記終了ボタンの押下に対応して前記確認処理を行う
ことを特徴とする請求項１３記載の記録媒体取り忘れ防止制御方法。
【請求項１７】
印刷終了後、操作画面の表示を印刷メニュー画面に戻す表示制御ステップ
を有し、
前記記録媒体取り忘れ確認ステップでは、
前記印刷メニュー画面に戻されたことに対応して前記確認処理を行う
ことを特徴とする請求項１３記載の記録媒体取り忘れ防止制御方法。
【請求項１８】
印刷動作中、操作画面上に、印刷中止を指示する印刷中止ボタンを表示する表示制御ステップ
を有し、
前記記録媒体取り忘れ確認ステップでは、
前記印刷中止ボタンの押下に対応して前記確認処理を行う
ことを特徴とする請求項１３記載の記録媒体取り忘れ防止制御方法。
【請求項１９】
印刷終了後、操作画面上での領収書発行指示に基づき領収書を発行する領収書発行ステップ
を有し、
前記記録媒体取り忘れ確認ステップでは、
前記領収書の発行に対応して前記確認処理を行う
ことを特徴とする請求項１３記載の記録媒体取り忘れ防止制御方法。
【請求項２０】
事前に投入された金銭から、印刷枚数に応じた課金分を減算して逐次残額を算出する課金処理を行う課金ステップ
を有し、
前記記録媒体取り忘れ確認ステップでは、
前記課金ステップにより算出された残額が無くなったことに対応して前記確認処理を行う
ことを特徴とする請求項１３記載の記録媒体取り忘れ防止制御方法。
【請求項２１】
印刷後に排出トレイに排出される排出用紙が前記排出トレイ上にあるか否かを検出する排出用紙検出ステップ
を有し、
前記記録媒体取り忘れ確認ステップでは、
印刷終了後、前記排出用紙が前記排出トレイから取り出されたか否かを前記排出用紙検出手段の検出出力に基づき認識する処理を行い、前記排出用紙が前記排出トレイから取り出されたことが認識されるのに対応して前記確認処理を行う
ことを特徴とする請求項１３記載の記録媒体取り忘れ防止制御方法。
【発明の詳細な説明】
【技術分野】
【０００１】
本発明は、記録媒体を着脱可能な記憶媒体読取ユニットに記録媒体を装着し、操作画面上での操作に基づき記録媒体から情報を読出し、該情報に基づき印刷を行う画像形成装置に係わり、詳しくは、記録媒体の取り忘れを効果的に防止する画像形成装置及び記録媒体取り忘れ防止制御方法に関する。
【背景技術】
【０００２】
今日、記録媒体（以下、記録メディア）を受け入れ、表示並びに入力機能を有する操作画面〔ＵＩ（ユーザ・インタフェース）画面〕上での印刷指示操作に基づき、記録メディアからメディアデータを読出し、該メディアデータに基づきプリントを行うMedia to Print サービス機能を有する画像形成装置が知られている。
【０００３】
この種の装置としては、コンビニエンスストア等に設置され、ユーザがデジタルスチルカメラ（以下、デジタルカメラ）で撮影した写真の画像データ等を記録する記録メディアを用いて写真印刷サービスを行うものがある。
【０００４】
この装置を利用する場合、ユーザは、持ち込んだ記録メディアをメディアリーダに差し込んだうえで、表示並びに入力機能を有する操作画面上でコピーに必要な一連の写真印刷操作を行なって写真印刷（プリント）を実施し、その際、印刷サービス料金に足る金銭を課金装置（コインキット）に入金することで印刷サービスを受けられるようになっている。
【０００５】
この種の装置では、印刷終了後、例えば、印刷された写真の取り出しにばかり気が向いて、記録メディアを取り忘れるといった危険性があり、これを防止する対策が重要となっている。
【０００６】
この種の従来装置におけるメディア取り忘れ防止対策の例として、下記特許文献１には、記録メディアの排出（抜き取り）を確認できるまで、つり銭を出さないようにする技術が開示されている。
【特許文献１】特開２００１−３３１８７１号公報
【発明の開示】
【発明が解決しようとする課題】
【０００７】
上記特許文献１記載の技術では、印刷終了後、記録メディアが抜かれるまでつり銭が出ないことに対してユーザに不信感をいだかせ、記録メディアが差し込まれたままであると気付かせてその抜き取りに対処する機会を増やすことで、記録メディアの取り忘れを減らすことができる。
【０００８】
この従来の記録メディア取り忘れ防止策は、一般消費者向けの有料印刷サービスを提供する装置であって、しかも、印刷終了時につり銭が払い出される状況にある場合に限って記録メディアの抜き取り忘れ防止に確かに有効である。
【０００９】
しかしながら、Media to Print サービス機能を有する画像形成装置の中には、オフィスや一般家庭で使用するものもあり、こうした機種では、つり銭を払い出すことは行われないために上記従来のメディア抜き忘れ防止策は適用できなかった。
【００１０】
結局、従来は、つり銭排出が伴う一般消費者向けの有料印刷サービスを行う機種にも、オフィス等で利用する、つり銭排出を伴わない機種にも有効な記録メディア取り忘れ防止策が無く、つり銭の排出に依存することなく記録メディアの取り忘れを防止することができないという問題点があった。
【００１１】
本発明は上記問題点を解消し、つり銭を払い出す機能を備える装置か否かに拘わらず、印刷終了後、ユーザによる記録メディアの取り忘れを確実に防止できる画像形成装置及び記録メディア取り忘れ防止制御方法を提供することを目的とする。
【課題を解決するための手段】
【００１２】
上記目的を達成するために、請求項１記載の発明は、記録媒体読取ユニットに記録媒体を装着し、該記録媒体に記録された情報の印刷を行う画像形成装置において、前記記録媒体読取ユニットに対して前記記録媒体が実装されているか未実装かを検出する記録媒体装着検出手段と、印刷開始操作後における特定の動作条件に対応して、前記記録媒体の取り忘れの有無を前記記録媒体装着検出手段の検出結果に基づき確認する確認処理を行う記録媒体取り忘れ確認手段と、前記記録媒体取り忘れ確認手段により前記記録媒体の取り忘れが確認された場合、その旨を報知する報知手段とを具備することを特徴とする。
【００１３】
請求項２記載の発明は、上記請求項１記載の発明において、前記記録媒体取り忘れ確認手段は、最終印刷後の用紙の排出に対応して前記確認処理を行うことを特徴とする。
【００１４】
請求項３記載の発明は、上記請求項１記載の発明において、前記記録媒体取り忘れ確認手段は、最終印刷の処理の終了に対応して前記確認処理を行うことを特徴とする。
【００１５】
請求項４記載の発明は、上記請求項１記載の発明において、印刷終了後、操作画面上に、終了を指示する終了ボタンを表示する表示制御手段を具備し、前記記録媒体取り忘れ確認手段は、前記終了ボタンの押下に対応して前記確認処理を行うことを特徴とする。
【００１６】
請求項５記載の発明は、上記請求項１記載の発明において、印刷終了後、操作画面の表示を印刷メニュー画面に戻す表示制御手段を具備し、前記記録媒体取り忘れ確認手段は、前記印刷メニュー画面に戻されたことに対応して前記確認処理を行うことを特徴とする。
【００１７】
請求項６記載の発明は、上記請求項１記載の発明において、印刷動作中、操作画面上に、印刷中止を指示する印刷中止ボタンを表示する表示制御手段を具備し、前記記録媒体取り忘れ確認手段は、前記印刷中止ボタンの押下に対応して前記確認処理を行うことを特徴とする。
【００１８】
請求項７記載の発明は、上記請求項１記載の発明において、印刷終了後、操作画面上での領収書発行指示に基づき領収書を発行する領収書発行手段を具備し、前記記録媒体取り忘れ確認手段は、前記領収書の発行に対応して前記確認処理を行うことを特徴とする。
【００１９】
請求項８記載の発明は、上記請求項１記載の発明において、事前に投入された金銭から、印刷枚数に応じた課金分を減算して逐次残額を算出する課金処理を行う課金手段を具備し、前記記録媒体取り忘れ確認手段は、前記課金手段により算出された残額が無くなったことに対応して前記確認処理を行うことを特徴とする。
【００２０】
請求項９記載の発明は、上記請求項１記載の発明において、印刷後に排出トレイに排出される排出用紙が前記排出トレイ上にあるか否かを検出する排出用紙検出手段を具備し、前記記録媒体取り忘れ確認手段は、印刷終了後、前記排出用紙が前記排出トレイから取り出されたか否かを前記排出用紙検出手段の検出出力に基づき認識する処理を行い、前記排出用紙が前記排出トレイから取り出されたことが認識されるのに対応して前記確認処理を行うことを特徴とする。
【００２１】
請求項１０記載の発明は、上記請求項１記載の発明において、前記記録媒体装着検出手段は、実装時に前記記録媒体の電極部を受け入れるコネクタを介して該記録媒体との導通が得られるか否かのアクセスチェックを行い、該アクセスチェック結果に応じて前記記録媒体の実装または未実装を検出するアクセスチェック手段から構成されることを特徴とする。
【００２２】
請求項１１記載の発明は、上記請求項１記載の発明において、前記記録媒体装着検出手段は、前記ユニット内に設けられ、前記記録媒体の実装時または抜き取り時に前記記録媒体が通過する経路を挟んで上下に配置される発光素子及び受光素子から成り、前記受光素子の受光出力に基づき前記記録媒体の有無を検出する記録媒体検出手段から構成されることを特徴とする。
【００２３】
請求項１２記載の発明は、記録媒体読取ユニットに記録媒体を装着し、該記録媒体に記録された情報の印刷を行う画像形成装置において、前記記録媒体読取ユニット内に設けられ、前記記録媒体の実装時または抜き取り時に前記記録媒体が通過する経路を挟んで上下に配置される発光素子及び受光素子から成り、前記受光素子の受光出力に基づき前記記録媒体の前記ユニットに対する実装または未実装を検出する記録媒体装着検出手段を具備し、印刷開始操作後における特定の動作条件に対応して、前記記録媒体の取り忘れの有無を前記記録媒体装着検出手段の検出結果に基づき確認する確認処理を行うことを特徴とする。
【００２４】
請求項１３記載の発明は、記録媒体読取ユニットに記録媒体を装着し、該記録媒体に記録された情報の印刷を行う画像形成装置の記録媒体取り忘れ防止制御方法において、前記記録媒体読取ユニットに対して前記記録媒体が実装されているか未実装かを検出する装着検出ステップと、印刷開始操作後における特定の動作条件に対応して、前記記録媒体の取り忘れの有無を前記装着検出ステップでの検出結果に基づき確認する確認処理を行う記録媒体取り忘れ確認ステップと、前記記録媒体取り忘れ確認ステップにより前記記録媒体の取り忘れが確認された場合、その旨を報知する報知ステップとを有することを特徴とする。
【００２５】
請求項１４記載の発明は、上記請求項１３記載の発明において、前記記録媒体取り忘れ確認ステップでは、最終印刷後の用紙の排出に対応して前記確認処理を行うことを特徴とする。
【００２６】
請求項１５記載の発明は、上記請求項１３記載の発明において、前記記録媒体取り忘れ確認ステップでは、最終印刷の処理の終了に対応して前記確認処理を行うことを特徴とする。
【００２７】
請求項１６記載の発明は、上記請求項１３記載の発明において、印刷終了後、操作画面上に、終了を指示する終了ボタンを表示する表示制御ステップを有し、前記記録媒体取り忘れ確認ステップでは、前記終了ボタンの押下に対応して前記確認処理を行うことを特徴とする。
【００２８】
請求項１７記載の発明は、上記請求項１３記載の発明において、印刷終了後、操作画面の表示を印刷メニュー画面に戻す表示制御ステップを有し、前記記録媒体取り忘れ確認ステップでは、前記印刷メニュー画面に戻されたことに対応して前記確認処理を行うことを特徴とする。
【００２９】
請求項１８記載の発明は、上記請求項１３記載の発明において、印刷動作中、操作画面上に、印刷中止を指示する印刷中止ボタンを表示する表示制御ステップを有し、前記記録媒体取り忘れ確認ステップでは、前記印刷中止ボタンの押下に対応して前記確認処理を行うことを特徴とする。
【００３０】
請求項１９記載の発明は、上記請求項１３記載の発明において、印刷終了後、操作画面上での領収書発行指示に基づき領収書を発行する領収書発行ステップを有し、前記記録媒体取り忘れ確認ステップでは、前記領収書の発行に対応して前記確認処理を行うことを特徴とする。
【００３１】
請求項２０記載の発明は、上記請求項１３記載の発明において、事前に投入された金銭から、印刷枚数に応じた課金分を減算して逐次残額を算出する課金処理を行う課金ステップを有し、前記記録媒体取り忘れ確認ステップでは、前記課金ステップにより算出された残額が無くなったことに対応して前記確認処理を行うことを特徴とする。
【００３２】
請求項２１記載の発明は、上記請求項１３記載の発明において、印刷後に排出トレイに排出される排出用紙が前記排出トレイ上にあるか否かを検出する排出用紙検出ステップを有し、前記記録媒体取り忘れ確認ステップでは、印刷終了後、前記排出用紙が前記排出トレイから取り出されたか否かを前記排出用紙検出手段の検出出力に基づき認識する処理を行い、前記排出用紙が前記排出トレイから取り出されたことが認識されるのに対応して前記確認処理を行うことを特徴とする。
【発明の効果】
【００３３】
本発明によれば、記録媒体読取ユニットに対して記録媒体が装着されているか未装着かを検出する記録媒体装着検出手段を設け、印刷開始操作後における特定の動作条件に対応して、記録媒体の取り忘れの有無を記録媒体装着検出手段の検出結果に基づき確認する確認処理を行い、該確認処理によって記録媒体の取り忘れが確認された場合、その旨を報知するようにしている。
【００３４】
この制御によれば、例えば、最終印刷後の用紙が排出されたことや、操作画面上で“終了”を指示する操作がなされたこと等の特定動作条件に対応して、記録媒体の取り忘れを検知して該記録媒体を抜出す旨を報知することができ、印刷終了後にユーザが装置から離れるまでの間に記録媒体の取り忘れをユーザに報知せしめて該記録媒体の取り忘れを防止できる。
【００３５】
また、この記録媒体取り忘れ防止制御によれば、記録媒体の取り忘れがある旨の報知はつり銭の払い出しに全く依存していないため、つり銭を払い出す機能を備え、一般消費者向けの有料印刷サービスを提供するタイプや、つり銭の払出しを行わないオフィスや家庭等で使用するタイプのいずれに適用しても記録媒体の取り忘れ防止効果が期待できる。
【発明を実施するための最良の形態】
【００３６】
以下、本発明の実施形態について添付図面を参照して詳細に説明する。
【００３７】
図１は、本発明に係る画像形成装置１００の全体構成を示すブロック図である。
【００３８】
特に、この画像形成装置１００は、例えば、コンビニエンスストア等に設置され、ユーザが持ち込んだデジタルカメラ用の記録メディア〔スマートメディア、コンパクトフラッシュ（登録商標）、ＳＤメモリカード等〕５を用いた写真印刷や、ユーザが持ち込んだ原稿のコピー等の印刷サービスを印刷枚数等に応じたサービス料金を支払うことで利用できる装置への適用例を示している。
【００３９】
この画像形成装置１００は、コピー対象の原稿の画像を読取る原稿読取部１１、上記記録メディア５が着脱（抜き差し）可能な機構を有し、該機構を介して差し込まれた記録メディア５から情報（メディアデータ）を読み取る記録媒体読取部（メディアリーダ）１２、写真印刷やコピーを行なうために必要な一連のユーザ操作を行なうユーザインタフェース（ＵＩ）部であって、写真印刷操作画面（写真選択、部数入力、編集指示、プリント開始等の指示ボタン等から成る）、コピー操作画面（コピー枚数、拡大／縮小、コピー開始等の指示ボタン等から成る）等のＵＩ画面の表示や、該ＵＩ画面上でのユーザ操作に対応する各種情報の入力を行なう表示／操作部１３、メディアリーダ１２によって記録メディア５から読み取られるメディアデータやその他の各種情報を記憶する記憶部１４、上記各処理機能部並びに後述するプリンタ１７，課金装置１８及びレシートプリンタ１９を含む装置全体の制御を行う制御部１５、制御部１５の制御下で、表示／操作部１３のＵＩ画面（写真印刷操作画面）上でのプリント開始指示に基づき記憶部１４から転送される写真画像データを用いて指定部数の写真を印刷すると共に、表示／操作部１３のＵＩ画面（コピー操作画面）上でのコピー開始指示に基づき原稿読取部１１で読取られた原稿の画像データを用いて指定部数のコピー印刷を行うプリンタ１７、制御部１５の制御下で、プリンタ１７で印刷される写真やコピーの印刷枚数等に応じてサービス料金の課金処理を行なう課金装置１８、プリント終了後、ＵＩ画面上で領収書（レシート）発行指示があった場合に、課金装置１８での課金処理結果に基づき制御部１５で生成される領収書データを受け取って領収書（レシート）を印刷出力するレシートプリンタ１９を具備して構成される。
【００４０】
図２は、図１における画像形成装置１００の外観構成を示す概念図であり、同図（ａ）が正面図、同図（ｂ）は同図（ａ）の側面図（但し、印刷ユニットＵ３、課金処理ユニットＵ４、レシートプリンタ１９のみの）を示している。
【００４１】
図２（ａ）に示すように、この画像形成装置１００は、図１における表示／操作部１３、記憶部１４、制御部１５に相当する各処理機能部等を実装した制御ユニットＵ１（例えば、ＰＣにより実現される）、図１におけるメディアリーダ１２に相当する処理機能部等を実装した記録媒体読取ユニットＵ２、図１における原稿読取部１１、プリンタ１７に相当する各処理機能部等を実装した印刷ユニットＵ３、図１における課金装置１８に相当する処理機能部等を実装した課金処理ユニットＵ４、並びにレシートプリンタ１９から構成される。
【００４２】
また、図２（ｂ）に示すように、この画像形成装置１００では、印刷ユニットＵ３を構成するプリンタ１７には、排出トレイ１７１が設けられ、印刷後の用紙（写真プリントやコピー）はこの排出トレイ１７１上に排出される。
【００４３】
課金装置１８やレシートプリンタ１９は、排出トレイ１７１に近接して配置され、印刷終了後、課金装置１８のつり銭排出口に排出されるつり銭、あるいは、レシートプリンタ１９から排出されるレシートを取りに行く際、排出トレイ１７１に排出された排出用紙に自然に注意がいくように仕向けることで、排出用紙の取り忘れ防止に効果的な配置を実現している。
【００４４】
なお、排出トレイ１７１上部には、該プリンタ１７での画像印刷後に排出される用紙（排出用紙：コピー画像や写真が印刷された印刷物）が排出トレイ１７１上に在るか否かを検出する排出用紙検出センサ１７２が設けられている。
【００４５】
この排出用紙検出センサ１７２は、後述する第４の実施例に必須の構成であり、制御部１５は、この排出用紙検出センサ１７２の検出出力に基づき、印刷終了後、排出トレイ１７１から排出用紙が取除かれたか否かを検出する。
【００４６】
この排出用紙検出センサ１７２は、例えば、発光素子と受光素子から成る光学的センサや反射型の光学的センサにより実現できる。この他、機械的スイッチ等を用いて排出用紙の有無を検出する構成であっても良い。
【００４７】
次に、この画像形成装置１００の基本運用操作について説明する。
【００４８】
この画像形成装置１００では、表示／操作部１３上に表示されるＵＩ画面からの指示操作により、以下のような印刷動作を実行する。
【００４９】
ＵＩ画面としては、まず、待機時には、メインメニュー画面が表示され、該メインメニュー画面上で所定の操作を行うことにより、例えば、図３に示すような初期画面（印刷メニュー画面）１３１が切替え表示される。
【００５０】
この初期画面１３１には、“コピー”、“プリント”、“デジカメ”といった印刷サービス種別を選択する印刷メニューボタンと、これら印刷の終了を指示する“終了”ボタン、及び領収書（レシート）の発行を指示する“領収書”ボタン（領収書発行ボタン）が設けられている。
【００５１】
ユーザが、この画像形成装置１００を利用して例えば写真印刷を行う場合、事前に課金装置１８の料金投入口〔図２（ａ）参照〕にサービス料金（写真印刷代）に足る金銭を投入した後、メディアリーダ１２にメディア着脱口〔図２（ａ）参照〕から記録メディア５（デジタルカメラで撮影した写真の写真画像データ等が記憶された各種の記録媒体）を装着したうえで、上記初期画面１３１上で“デジカメ”を選択し、次いで表示されるメディア種別の中から今回装着した記録メディアのメディア種別を指定する。
【００５２】
これにより、記録メディア５に記憶されているメディアデータがメディアリーダ１２によって読み込まれ、記憶部１４に記憶される。
【００５３】
ここで、記録メディア５には、圧縮された撮像解像度の写真画像データと、該写真画像データを間引きした低解像度のサムネイル画像とから成る写真ファイルが記憶されており、これらの情報が記憶部１４に記憶される。
【００５４】
その後、ユーザが上記初期画面１３１上で“プリント”を選択すると、メディアリーダ１２により読み込まれて記憶部１４に記憶されているメディアデータのうちのサムネイル画像データが読み出され、該サムネイル画像データを基に、ＵＩ画面（写真選択画面）上には、インデックス用の写真画像（見出し写真画像）が複数枚づつ表示（インデックス表示）される。
【００５５】
この写真選択画面上で、所望の写真の選択、編集指示、部数等を入力した後、“プリントスタート”ボタンを押下することにより、写真印刷が開始される。
【００５６】
“プリントスタート”ボタンが押下されると、それまでのユーザ操作で選択された見出し写真画像に対応する写真画像データ（指定に応じて編集処理が施されたもの）がプリンタ１７に送られ、上記写真選択画面上で指定された部数の写真が印刷される。印刷後の写真は、プリンタ１７の排出トレイ１７１上に排出される。
【００５７】
上記写真プリント動作を行なっている間、表示／操作部１３のＵＩ画面上には、例えば、図４に示すようなプリント中画面１３３が表示される。
【００５８】
特に、この例のプリント中画面１３３には、“プリントしています。”というメッセージと共に、全印刷ページのうちの何ページ目を印刷中かを数字で表わすプリント進捗ページ表示がなされ、更には、例えば、印刷対象のページの画像のうちの印刷完了した部分の画像が印刷の進行に合わせて次第に見えてくるイメージを表わすプリント進捗画像表示がなされる。更に、その下段には、全体の印刷時間のうちのどの程度の時間までプリントが終了したかをレベルメータで表わすプリント進捗レベル表示がなされる。
【００５９】
このプリント中画面１３３には、更に、プリントの開始を指示する“プリントスタート”ボタンの他、プリントの中止を指示する“プリント中止”ボタンも表示される。
【００６０】
上記プリント動作の進行中、“プリント中止“”ボタンが押下されると、制御部１５は、その時点で当該写真プリント動作を中止するように制御する。
【００６１】
“プリント中止”ボタンが押下されないまま、指定部数の写真プリントが終了すると、制御部１５は、表示／操作部１３の表示を初期画面１３１に戻す。
【００６２】
この初期画面１３１上で、“終了”ボタンが押下された場合、制御部１５は、写真印刷動作を終了し、メインメニュー表示画面（図示せず）に戻す。
【００６３】
また、“終了”ボタンが押下された場合、制御部１５は、課金装置１８との間の情報交信により残金があるかどうかをチェックし、残金があれば、課金装置１８に指示して当該残金をつり銭としてつり銭排出口〔図２（ａ）参照〕に払い出すように制御する。
【００６４】
なお、課金装置１８では、上記写真印刷動作に合わせて課金処理を行っている。この課金処理において、課金装置１８は、プリントの進行に合わせて、それまでに実行し終えたプリントのプリント代金を順次加算すると共に、事前入金された入金額と上記加算値とに基づき両者の差に当たる残金を逐次算出している。
【００６５】
制御部１５は、課金装置１８での上記課金処理によって求められた残金を表示／操作部１３のＵＩ画面上に表示する。
【００６６】
図５は、残金を表示するＵＩ画面（残金表示画面）１３５の一例を示す図である。特に、図５では、プリント終了時に、事前投入された金額分に一致するサービス料金の課金がなされることにより、残金が“０”円になった状態の残金表示例を示している。
【００６７】
また、上記初期画面１３１上で、“領収書”ボタンが押下された場合、制御部１５は、課金装置１８から、それまでの課金処理結果（何枚プリントしたか等の利用明細、利用料金、入金額、つり銭の額等の情報）を取得すると共に、該取得した課金処理結果を反映した領収書データを生成し、該領収書データをその印刷指示と共にレシートプリンタ１９に送出する。
【００６８】
レシートプリンタ１９は、上記印刷指示に従い、上記領収書データに基づき領収書を印刷し、該領収書をレシート排出口〔図２（ａ）参照〕へと排出する。
【００６９】
なお、この画像形成装置１００では、コピー印刷機能も有する。ユーザが、該装置１００を利用してコピーを行う場合、事前に課金装置１８の料金投入口にサービス料金（コピー代）に足る金銭を投入し、原稿読取位置に原稿をセットした後、表示／操作部１３に表示される初期画面１３１上で“コピー”を選択し、次いで、該選択操作により表示されるコピー操作画面に従って当該コピーに必要な一連の設定操作（コピー部数、拡大／縮小指定、コピー開始指示）を行ない、該一連のコピー設定操作後、コピー開始指示が与えれば良い。
【００７０】
上記コピー開始指示に基づき、制御部１５は、セットされた原稿を原稿読取部１１で読取り、該読取った画像データを印刷制御情報と共にプリンタ１７に送出する。プリンタ１７は画像読取部１１から入力する画像データをその印刷制御情報に基づき指定部数だけ印刷して排出トレイ１７１に排出する。
【００７１】
このコピー印刷の場合にも、コピー枚数の応じた課金処理及びつり銭払出し処理、並びに領収書発行処理がなされる。
【００７２】
このように、本発明の画像形成装置１００では、表示／操作部１３にＵＩ画面（初期画面１３１、プリント中画面１３３、残金表示画面１３５、写真印刷操作画面、コピー操作画面等）を表示し、写真印刷またはコピー印刷を行なうために必要な一連のユーザ操作を当該ＵＩ画面を用いて受付けるようにしている。
【００７３】
上記ＵＩ画面を用いた一連のユーザ操作に対して、制御部１５は、その操作内容を解析し、該解析結果に従って、原稿読取部１１、メディアリーダ１２、表示／操作部１３、記憶部１４、プリンタ１７、課金装置１８、レシートプリンタ１９の各部を制御して写真やコピーの印刷動作、更にはつり銭並びに領収書発行の動作を実現する。
【００７４】
特に、写真印刷機能に関して、この画像形成装置は、記録メディア５をメディアリーダ１２の読取位置に差込み、表示並びに入力機能を有する表示／操作部１３に表示される操作画面（ＵＩが面）上での印刷指示操作に基づき、上記記録メディア５に記憶されたメディアデータを読出して印刷することから、Media to Print サービス機能を有する装置と言うことができる。
【００７５】
この種のMedia to Print サービス対応の装置では、印刷終了後の記録メディア５の取り忘れ防止が重要であるが、この点の対策として、本発明の画像形成装置１００では、記録メディア５の装着状態（実装／非実装）を検出するメディア装着検出手段を備えている。
【００７６】
特に、図１では、メディアリーダ１２内に、後述するメディア検出センサ１２８（図１０参照）に相当するメディア装着検出手段を設けて例を示している。
【００７７】
そして、制御部１５では、ＵＩ画面からの指示に基づく印刷動作中、該印刷動作またはＵＩ画面の表示制御等に関する特定の動作条件を認識し、該特定動作条件に対応して、メディア装着検出手段の検出出力を用いて記録メディア５の取り忘れがあるかないかを認識する処理を行うと共に、記録メディア５の取り忘れがある場合には、例えば、記録メディア５の取り忘れがあり、その取り出しを促す内容のメッセージをＵＩ画面上に表示する等の方法で、記録メディア５の取り忘れがある旨を報知するように制御する。
【００７８】
図６は、メディア取り忘れ報知制御に係わる取り忘れ警告メッセージの表示例を示す図である。この例では、ＵＩ画面（取り忘れ警告表示画面）１３７上に“記録メディアを抜いて下さい”という、記録メディア５の取り忘れの警告と該記録メディア５を抜き取ることを促す内容のメッセージを表示している。
【００７９】
ここで、本発明の画像形成装置１００で用いるメディア装着検出手段の構成と検出動作について説明する。なお、この説明においては、記録メディア５として、例えば、スマートメディアを用いるものとする。
【００８０】
図７は、本発明の画像形成装置１００で用いる記録メディア（スマートメディア）５の構成を示す図である。同図に示すように、スマートメディアには、導電部材から成る複数のピンが形成された電極部（コンタクト基板）５１が設けられている。
【００８１】
この電極部５１の複数のピンは、該記録メディア５を後述するメディアリーダユニット１２Ａに差し込んで該ユニット１２Ａ内のコネクタ１２３と結合させた際に、コネクタ１２３側の各端子と電気的に接続される。
【００８２】
ここで、電極部５１の複数のピンには、図８に示す表図の通りの機能が与えられており、例えば、１１番ピンはCard Detect 信号でＧＮＤと導通している。
【００８３】
これにより、コネクタ１２３に電極部５１が結合されたメディア装着状態（１１番ピンとコネクタ１２３側の対応端子間接合時）では、１１番ピンを介して得られる導通信号はＧＮＤレベルの信号となる。また、未実装状態では、記録メディア５の１１番ピンとコネクタ１２３側の対応端子間がＯｐｅｎ（非導通状態）となり、上記導通信号は得られない。
【００８４】
従って、この画像形成装置１００では、例えば、制御部１５において、メディアリーダユニット１２Ａのコネクタ１２３を介して記録メディア５との導通状態をチェックすることにより、該記録メディア５が実装されているかいないか（実装／未実装）を検出することができる。
【００８５】
図９は、上記検出方法（以下、第１の検出方法）に基づくメディア装着検出手順を示す概念図である。
【００８６】
図９にその側面概念構成を示すメディアリーダユニット１２Ａは、基板１２２，コネクタ１２３，メディアガイド１２４，メディア着脱口１２５を収容するユニット筐体１２１と、例えば電気駆動によりユニット筐体１２１のメディア着脱口１２５を開閉する自動開閉カバー１２６を備えて構成される。
【００８７】
このメディアリーダユニット１２Ａに記録メディア５を装着するには、図９（ａ）に示すように自動開閉カバー１２６が開放されている状態で、メディア着脱口１２５からメディアガイド１２４を介して記録メディア５を矢印ａ方向に差込み、コネクタ１２３と記録メディア５の電極部５１とが結合する位置まで該記録メディア５を押し込んで装着する。
【００８８】
装着が完了すると、図９（ｂ）に示すように、自動開閉カバー１２６が閉まり、記憶メディア５に対する上記コネクタ１２３を介したデータの読み出しと書込み（書込み許可されている場合：図７におけるライトプロテクトシール貼付部５２にシール未貼付の場合）が可能になる。
【００８９】
その後、写真印刷が終了すると、自動開閉カバー１２６を開放したうえで、図９（ａ）とは逆の方向（矢印ｂ方向）に抜き動かすことにより、記録メディア５を抜出すことができる。記憶メディア５を抜き終えると、自動開閉カバー１２６が自動的に閉じられる。
【００９０】
上記の如くメディアリーダユニット１２Ａに対する着脱（差込み／抜出し）が可能な記録メディア５を対象とした第１の検出方法によるメディア装着検出手段として、制御部１５内には、コネクタ１２３を介して記録メディア５とのアクセスチェックを行うアクセスチェック部１５１が備わる。
【００９１】
アクセスチェック部１５１では、図９（ｂ）に示すメディア実装状態において、コネクタ１２３を介して記録メディア５にアクセスした際、この時に上記１１番ピンとコネクタ１２３側の対応端子との結合によって得られる導通状態（ＧＮＤレベルの信号）から、記録メディア５が実装されていることを検出できる。
【００９２】
また、図９（ａ）に示すメディア未実装状態において、アクセスチェック部１５１では、コネクタ１２３を介して記録メディア５にアクセスした際、この時に上記１１番ピンとコネクタ１２３側の対応端子との結合解除に伴う非導通状態（Ｏｐｅｎ）から、記録メディア５が未実装であることを検出できる。
【００９３】
制御部１５内のメディア取り忘れ確認部１５３は、上記アクセスチェック部１５１での検出結果（アクセスチェック結果）から記録メディア５の取り忘れがあるかないかを確認する処理を行う。
【００９４】
このように、第１の検出方法では、実装時に記録メディア５の電極部５１を受け入れるコネクタ１２３を介して、制御部１５から通電を行って該記録メディア５との導通が得られるか否かのアクセスチェックを行い、該アクセスチェック結果に応じて記録メディア５の実装または未実装を検出するが、第２の検出方法としては、以下の如く、通電することなく検出する方法もある。
【００９５】
図１０は、第２の検出方法に基づくメディア装着検出手順を示す概念図である。図１０において、メディアリーダユニット１２Ａの構造そのものは図９に示すものと同一である。
【００９６】
このメディアリーダユニット１２Ａには、第２の方法に基づくメディア装着検出手段として、ユニット筐体１２１内のメディアガイド１２４とメディア着脱口１２５との間で、かつ記録メディア５が装着時（差込み時）または抜き取り時に通過する経路を挟んだ上下の位置に、発光素子１２８ａと受光素子１２８ｂから成るメディア検出センサ１２８が設けられる。
【００９７】
かかる構成において、メディアリーダユニット１２Ａに記録メディア５を装着するには、図１０（ａ）に示すように自動開閉カバー１２６が開放されている状態で、メディア着脱口１２５からメディアガイド１２４を介して記録メディア５を矢印ａ方向に差込み、コネクタ１２３と記録メディア５の電極部５１とが結合する位置まで該記録メディア５を押し込んで装着する。
【００９８】
装着が完了すると、図１０（ｂ）に示すように、自動開閉カバー１２６が閉まり、記憶メディア５に対する上記コネクタ１２３を介したデータの読み出しと書込み（書込み許可されている場合）が可能になる。
【００９９】
このメディア実装状態において、メディア検出センサ１２８では発光素子１２８ａから出射した光が記録メディア５に遮られて受光素子１２８ｂに受光されないことから、制御部１５（メディア取り忘れ確認部１５３）では、この時の受光素子１２８ｂの受光出力（実質的には、受光出力無し）から記録メディア５が実装状態であることを認識でき、該認識結果から記録メディア５の取り忘れがあるかないかを確認できる。
【０１００】
その後、写真印刷が終了すると、自動開閉カバー１２６を開放したうえで、図１０（ａ）とは逆の方向（矢印ｂ方向）に動かすことで、記録メディア５を抜出すことができる。記憶メディア５を抜き終えると、自動開閉カバー１２６が自動的に閉じられる。
【０１０１】
この状態において、メディア検出センサ１２８では発光素子１２８ａから出射された光が受光素子１２８ｂにより受光されるため、制御部１５（メディア取り忘れ確認部１５３）では、この時の受光素子１２８ｂ受光出力に基づき記録メディア５が未実装状態であることを認識でき、該認識結果から記録メディア５の取り忘れがあるかないかを確認できる。
【０１０２】
なお、上記第１の検出方法では、記録メディア５の抜出し〔図９（ａ）矢印ｂ方向〕に際して、記録メディア５の電極部５１とコネクタ１２３との電気的接続が解かれて導通が確認できなくなってから所定時間後に自動開閉カバー１２６を閉じるため、例えば、記録メディア５がユニット筐体１２１の途中にある場合〔図１０（ｃ）参照〕、記録メディア５はコネクタ１２３から抜かれているため、自動開閉カバー１２６が閉まり〔図１０（ｃ）の点線で示す状態〕、記録メディア５が破損する危険性もあった。
【０１０３】
この点、第２の検出方法では、図１０（ｃ）に示す抜出し途中においても、メディア検出センサ１２８の発光素子１２８ａ、受光素子１２８ｂ間に記録メディア５が介在してメディア実装状態が検出され、これにより、自動開閉カバー１２６は開放された状態に保たれる。
【０１０４】
つまり、第２の検出方法では、メディア検出センサ１２８の発光素子１２８ａ、受光素子１２８ｂ間を記録メディア５が完全に抜け出るまで自動開閉カバー１２６が閉まることがないため、抜出し途中での自動開閉カバー１２６閉じ動作による記録メディア５の破損事故を防止することができる。
【０１０５】
このように、本発明の画像形成装置１００では、記録メディア５の実装／未実装を検出するメディア装着検出手段として、記憶メディア５との間の導通チェック（アクセスチェック）により装着状態を検出するもの（アクセスチェック部１５１）、若しくは、非導通チェックにより装着状態を検出するもの（例えば、光学的に検出するメディア検出センサ１２８）のいずれかを実装できる。
【０１０６】
上記メディア装着検出手段を備えたうえで、画像形成装置１００では、制御部１５が、ＵＩ画面からの指示に基づく印刷動作中、該印刷動作またはＵＩ画面の表示制御等に関する特定の動作条件を認識し、該特定動作条件に対応して、メディア装着検出手段の検出結果を用いて記録メディア５の取り忘れがあるか否かを確認し、記録メディア５の取り忘れがある場合には、例えば、図６に示すメディア取り忘れ警告メッセージをＵＩ画面上に表示する等の方法で、ユーザに記録メディア５の取り出しを促すように制御する。
【０１０７】
以下、本発明に係わる画像形成装置１００の記録メディア取り忘れ防止制御について種々の実施例を挙げて詳しく説明する。
【０１０８】
なお、以下の各実施例に係わる画像形成装置１００の基本運用操作は図１を参照して先に述べた通りであり、記録メディア５の取り忘れ確認タイミングのみが異なるものである。
【０１０９】
第１の実施例：
この実施例に係わる画像形成装置１００では、写真印刷動作中、制御部１５が、該印刷動作に関する特定動作条件として、最終プリント（最終印刷後の用紙）が排出されたこと、または最終プリントの処理が終了したことを認識し、これら動作条件に対応して、メディア装着検出手段（メディア検出センサ１２８、あるいはアクセスチェック部１５１）の検出出力を用いて記録メディア５の取り忘れがあるか否かを確認する処理を行う。
【０１１０】
図１１は、本実施例に係わる画像形成装置１００のメディア取り忘れ防止制御動作を示すフローチャートである。
【０１１１】
この実施例に係わる画像形成装置１００では、先に述べたように、表示／操作部１３に表示されるＵＩ画面からの操作指示により写真プリント動作を実行中、制御部１５が当該プリントが終了したか否かを監視する（ステップＳ１１０１）。
【０１１２】
このステップＳ１１０１の処理に関しては、例えば、プリント動作中、制御部１５とプリンタ１７との間で印刷進行状況に関する情報を送受し、制御部１５がプリンタ１７から受信した上記情報に基づき当該プリンタ１７で最終プリントの印刷処理が終了したことを検知してプリントが終了したことを認識する方法がある。
【０１１３】
また、排出トレイ１７１の上流側に用紙通過センサを設け、最終印刷後の用紙が該用紙通過センサによってその通過を検出された時（最終印刷後の用紙の排出完了時）に、当該最終プリントが終了したとして認識する方法も考えられる。
【０１１４】
これらの方法は、以下に述べる各実施例におけるプリント終了判別においても適用可能である。
【０１１５】
上記プリント（写真プリント）動作の監視中、プリントが終了したことが認識された場合（ステップＳ１１０１ＹＥＳ）、制御部１５（メディア取り忘れ確認部１５３）は、メディア装着検出手段（メディア検出センサ１２８またはアクセスチェック部１５１）の検出結果を取込み、記録メディア５の実装が検出されているか未実装が検出されているかによって当該記録メディア５の取り忘れがあるかないかを確認する（ステップＳ１１０２）。
【０１１６】
ここで、記録メディア５の取り忘れがなかった場合（ステップＳ１１０２ＮＯ）、制御部１５は、表示／操作部１３のＵＩ画面をメインメニュー画面に切替える（ステップＳ１１０５）。
【０１１７】
これに対し、記録メディア５の取り忘れがある場合（ステップＳ１１０２ＹＥＳ）、制御部１５は、表示／操作部１３のＵＩ画面上に、記録メディア５の取り忘れがある旨を表示する（ステップＳ１１０３）。
【０１１８】
記録メディア５の取り忘れ表示の一例としては、図６に示す画面１３７を用いた表示例が考えられる。図６の例では、画面１３７上に“記録メディアを抜いて下さい”というメッセージを表示することで、ユーザに対して記録メディア５が残っていることを報知し、かつその記録メディア５を抜出すことを促すようにしている。
【０１１９】
上記記録メディア５の取り忘れ警告の表示後、制御部１５は、メディア装着検出手段の検出結果を監視し、メディアリーダユニット１２Ａから記録メディア５が抜かれたか否かをチェックする（ステップＳ１１０４）。
【０１２０】
ここで、メディア装着検出手段の検出結果がメディア未実装に相当する場合、制御部１５は、該検出結果から記録メディア５が抜かれたと認識し（ステップＳ１１０４ＹＥＳ）、表示／操作部１３のＵＩ画面をメインメニュー画面に切替える（ステップＳ１１０５）。
【０１２１】
このように、第１の実施例では、特定動作条件として、最終プリントが排出されたことまたは最終プリントの処理が終了ことを認識し、該特定動作条件に対応して、メディア装着検出手段（メディア検出センサ１２８またはアクセスチェック部１５１）の検出結果に基づき記録メディア５の取り忘れがあるか否かを確認し、取り忘れがある場合は、その旨を報知して記録メディア５の取り出しをユーザに促すようにしている。
【０１２２】
かかる制御によれば、プリント終了後、記録メディア５を抜かない限りプリント終了が行えない（メインメニュー画面上の“終了”ボタンを押下して終了することになっている。よって、当該メインメニュー画面が表示されないと終了できない。）ことから、ユーザによる記録メディア５の取り忘れを減少させることができる。
【０１２３】
第２の実施例：
第２の実施例に係わる画像形成装置１００では、プリント終了後、ユーザがＵＩ画面で“終了”ボタンを押下した時、制御部１５が、メディア装着検出手段（メディア検出センサ１２８またはアクセスチェック部１５１）の検出結果から記録メディア５の取り忘れがあるか否かを確認する。
【０１２４】
図１２は、本実施例に係わる画像形成装置１００の記録メディア取り忘れ防止制御動作を示すフローチャートである。
【０１２５】
この実施例に係わる画像形成装置１００では、上述した写真プリント動作中、制御部１５が当該プリントが終了したか否かを監視する（ステップＳ１２０１）。
【０１２６】
ここで、プリントが終了したことが認識された場合（ステップＳ１２０１ＹＥＳ）、制御部１５は、表示／操作部１３にＵＩ画面（初期画面１３１）を表示させる（ステップＳ１２０２）。
【０１２７】
初期画面１３１は、例えば、図３に示したように、“終了”ボタン、“領収書”ボタンを有するものである。ユーザは、この初期画面１３１上で、“終了”ボタンを押下して終了を指示することができ、また、“領収書”ボタンを押下することで領収書発行を指示することができる。
【０１２８】
上記初期画面１３１の表示後、制御部１５は、該ＵＩ画面１３１上でのボタン操作に基づく指示入力を監視し（ステップＳ１２０３）、終了若しくは領収書発行の指示があったかどうかをチェックする（ステップＳ１２０４）。
【０１２９】
ここで、上記いずれかの指示入力があった場合（ステップＳ１２０４ＹＥＳ）、制御部１５（メディア取り忘れ確認部１５３）は、メディア装着検出手段（メディア検出センサ１２８またはアクセスチェック部１５１）の検出結果を取り込み、記録メディア５の実装が検出されているか未実装が検出されているかによって記録メディア５の取り忘れがあるかないかを確認する（ステップＳ１２０５）。
【０１３０】
ここで、記録メディア５の取り忘れがなかった場合（ステップＳ１２０５ＮＯ）、制御部１５は、表示／操作部１３のＵＩ画面をメインメニュー画面に切替える（ステップＳ１２０８）。
【０１３１】
これに対し、記録メディア５の取り忘れがある場合（ステップＳ１２０５ＹＥＳ）、制御部１５は、表示／操作部１３のＵＩ画面上に、記録メディア５の取り忘れがある旨を例えば図６に示す画面１３７のような表示内容で表示する（ステップＳ１２０６）。
【０１３２】
上記記録メディア５の取り忘れ警告の表示後、制御部１５は、メディア装着排出手段の検出結果を監視し、メディアリーダユニット１２Ａから記録メディア５が抜かれたか否かをチェックする（ステップＳ１２０７）。
【０１３３】
ここで、メディア検出手段の検出結果が記録メディア５の未実装に相当している場合、制御部１５は、この検出結果から記録メディア５が抜かれたと認識し（ステップＳ１２０７ＹＥＳ）、表示／操作部１３のＵＩ画面をメインメニュー画面に切替える（ステップＳ１２０８）。
【０１３４】
なお、上記ステップＳ１２０４で、“領収書”ボタンが押下された場合、制御部１５は、上記ステップＳ１２０５以降の処理（メディア取り忘れ防止制御）と並行して、領収書を発行する処理を行う。
【０１３５】
この場合、制御部１５は、上記“領収書”ボタンの押下を認識すると、課金装置１８から、それまでのプリントに係わる課金処理結果（何枚コピーしたか等の利用明細、利用料金、入金額、つり銭の額等の情報）を取得して該課金処理結果を反映した領収書データを生成し、該領収書データを印字するようにレシートプリンタ１９に指示する。
【０１３６】
レシートプリンタ１９は、上記印刷指示に基づき、上記領収書データを印字し、該印字後の領収書をレシート排出口に排出する。
【０１３７】
このように、第２の実施例では、ＵＩ画面の表示制御に関する特定の動作条件として、プリント終了後に表示されるＵＩ画面上で“終了”ボタンが押下されたことを認識し、該“終了”ボタンの押下に対応して、メディア装着検出手段（メディア検出センサ１２８またはアクセスチェック部１５１）の検出結果を用いて記録メディア５の取り忘れがあるかないかを確認し、取り忘れがある場合は、その旨を報知して排出用紙の取り出しをユーザに促すようにしている。
【０１３８】
かかる制御によれば、プリント終了後、上記ＵＩ画面上でユーザが“終了”ボタンを押下した際に記録メディア５が抜かれていない場合にはその旨を報知して抜出すことを促すことができるため、ユーザが画像形成装置１００から離れる前に記録メディア５の取り忘れを報知してその取り忘れを防ぐことができる。
【０１３９】
また、第２の実施例では、ＵＩ画面の表示制御に関する特定の動作条件として、プリント終了後に表示されるＵＩ画面上で“領収書”ボタンが押下されたことを認識し、該“領収書”ボタンの押下に対応して、メディア装着検出手段の検出結果を用いて記録メディア５の取り忘れがあるかないかを確認し、取り忘れがある場合は、その旨を報知して記録メディア５の取り出しをユーザに促すようにしている。
【０１４０】
このように、プリント終了後、ＵＩ画面におけるユーザ指示〔“領収書”ボタン押下〕に応じて領収書を発行する際に、メディア装着検出手段の検出結果から記録メディア５の取り忘れがあるか否かを確認する制御においても、上述した“終了”ボタン押下時に記録メディア５の取り忘れを検知する場合と同様の効果が期待できる。
【０１４１】
第３の実施例：
第３の実施例に係わる画像形成装置１００では、プリント終了後、印刷メニュー画面（初期画面１３１）に戻るタイミングに、制御部１５が、メディア装着検出手段（メディア検出センサ１２８またはアクセスチェック部１５１）の検知結果から記録メディア５の取り忘れがあるか否かを確認する。
【０１４２】
図１３は、本実施例に係わる画像形成装置１００の記録メディア取り忘れ防止制御動作を示すフローチャートである。
【０１４３】
この実施例に係わる画像形成装置１００では、上述した写真プリント動作中、制御部１５が当該プリントが終了したか否かを監視する（ステップＳ１３０１）。
【０１４４】
ここで、プリントが終了したことが認識された場合（ステップＳ１３０１ＹＥＳ）、制御部１５は、表示／操作部１３にＵＩ画面（初期画面１３１）を表示させる（ステップＳ１３０２ａ）と共に、同タイミングに、メディア取り忘れ確認部１５３において、メディア装着検出手段（メディア検出センサ１２８またはアクセスチェック部１５１）の検出結果を取り込み、記録メディア５の実装が検出されているか未実装が検出されているかによって記録メディア５の取り忘れがあるかないかを確認する（ステップＳ１３０２ｂ）。
【０１４５】
ここで、記録メディア５の取り忘れがなかった場合（ステップＳ１３０２ｂＮＯ）、制御部１５は、表示／操作部１３のＵＩ画面をメインメニュー画面に切替える（ステップＳ１３０５）。
【０１４６】
これに対し、記録メディア５の取り忘れがある場合（ステップＳ１３０２ｂＹＥＳ）、制御部１５は、表示／操作部１３のＵＩ画面上に、記録メディア５の取り忘れがある旨を例えば図６に示す画面１３７のような表示内容で表示する（ステップＳ１３０３）。
【０１４７】
引き続き、制御部１５は、メディア装着検出手段の検出結果を監視し、メディアリーダユニット１２Ａから記録メディア５が抜かれたか否かをチェックする（ステップＳ１３０４）。
【０１４８】
ここで、メディア装着検出手段の検出結果がメディア未実装に相当する場合、制御部１５は、この検出結果から記録メディア５が抜かれたと認識し（ステップＳ１３０４ＹＥＳ）、表示／操作部１３のＵＩ画面をメインメニュー画面に切替える（ステップＳ１３０５）。
【０１４９】
このように、第３の実施例では、ＵＩ画面の表示制御に関する特定の動作条件として、プリント終了後、印刷メニュー画面（初期画面１３１）に戻ったことを認識し、該印刷メニュー画面に戻されたことに対応して、メディア装着検出手段の検出結果を用いて記録メディア５の取り忘れがあるかないかを確認し、取り忘れがある場合は、その旨を報知して記録メディア５の取り出しをユーザに促すようにしている。
【０１５０】
かかる制御によれば、プリント終了後、印刷メニュー画面が表示される際に記録メディア５が抜かれていない場合にはその旨の警告メッセージを表示して記録メディア５を抜出すことをユーザに促すことができ、ユーザが画像形成装置１００から離れる前に記録メディア５を抜くように促してその取り忘れを防ぐことができる。
【０１５１】
第４の実施例：
第４の実施例に係わる画像形成装置１００では、図２（ｂ）に示すように、プリンタ１７の排出トレイ１７１の近傍に、該排出トレイ１７上における排出用紙（例えば、印刷後に排出された写真プリント）の有無を検出する排出用紙検出センサ１７２が設けられている。
【０１５２】
そして、この画像形成装置１００では、写真印刷終了後、排出用紙検出センサ１７２の検出出力に基づき、排出トレイ１７から排出用紙（写真）が取り出されたことを認識し、該排出用紙が取り出されたタイミングに、メディア装着検出手段（メディア検出センサ１２８またはアクセスチェック部１５１）の検出結果を用いて記録メディア５の取り忘れがあるかないかを確認する処理を行う。
【０１５３】
図１４は、本実施例に係わる画像形成装置１００の記録メディア取り忘れ防止制御動作を示すフローチャートである。
【０１５４】
この実施例に係わる画像形成装置１００では、上述した写真プリント動作中、制御部１５が当該プリントが終了したか否かを監視する（ステップＳ１４０１）。
【０１５５】
ここで、プリントが終了したことが認識された場合（ステップＳ１４０１ＹＥＳ）、制御部１５は、次いで、排出用紙検出センサ１７２の検出出力を取込み、該検出出力に基づいて、排出トレイ１７から排出用紙（写真）が取り出されたか否かをチェックする（ステップＳ１４０２）。
【０１５６】
ここで、排出用紙が取り出されていない間（ステップＳ１４０２ＮＯ）は、上記チェックを続ける。
【０１５７】
これに対し、排出用紙が排出トレイ１７１から取り出された場合（ステップＳ１４０２ＹＥＳ）、制御部１５（メディア取り忘れ確認部１５３）は、メディア装着検出手段（メディア検出センサ１２８またはアクセスチェック部１５１）の検出結果を取り込み、記録メディア５の実装が検出されているか未実装が検出されているかによって記録メディア５の取り忘れがあるかないかを確認する（ステップＳ１４０３）。
【０１５８】
ここで、記録メディア５の取り忘れがなかった場合（ステップＳ１４０３ＮＯ）、制御部１５は、表示／操作部１３のＵＩ画面をメインメニュー画面に切替える（ステップＳ１４０６）。
【０１５９】
これに対し、記録メディア５の取り忘れがある場合（ステップＳ１４０３ＹＥＳ）、制御部１５は、表示／操作部１３のＵＩ画面上に、記録メディア５の取り忘れがある旨を例えば図６に示す画面１３７のような表示内容で表示する（ステップＳ１４０４）。
【０１６０】
上記記録メディア５の取り忘れ警告の表示後、制御部１５は、メディア装着検出手段の検出結果を監視し、メディアリーダユニット１２Ａから記録メディア５が抜かれたか否かをチェックする（ステップＳ１４０５）。
【０１６１】
ここで、メディア装着検出手段の検出結果がメディア未実装に相当する場合、制御部１５は、この検出結果から記録メディア５が抜かれたと認識し（ステップＳ１４０５ＹＥＳ）、表示／操作部１３のＵＩ画面をメインメニュー画面に切替える（ステップＳ１４０６）。
【０１６２】
このように、第４の実施例では、印刷動作に関する特定の動作条件として、プリント終了後、排出トレイ１７１から排出用紙が取除かれたか否かを認識し、該排出用紙が取除かれたことに対応して、メディア装着検出手段の検出結果に基づき記録メディア５の取り忘れを確認し、取り忘れがある場合は、その旨を報知して記録メディア５の抜出しをユーザに促すようにしている。
【０１６３】
この制御によれば、写真プリント終了後、排出用紙を取り出した時に記録メディア５を取り出す旨が報知されるため、該記録メディア５の取り忘れを確実に防止できる。
【０１６４】
第５の実施例：
第５の実施例に係わる画像形成装置１００では、課金装置１８のコインキットへのユーザ投入金額が印刷サービスの利用に伴って減算され、残金が“０”円になったタイミングに、制御部１５が、メディア装着検出手段（メディア検出センサ１２８またはアクセスチェック部１５１）の検知結果から記録メディア５の取り忘れがあるか否かを確認する。
【０１６５】
図１５は、本実施例に係わる画像形成装置１００の記録メディア取り忘れ防止制御動作を示すフローチャートである。
【０１６６】
この実施例に係わる画像形成装置１００では、上述した写真プリント動作中、制御部１５が当該プリントが終了したか否かを監視する（ステップＳ１５０１）。
【０１６７】
ここで、プリントが終了したことが認識された場合（ステップＳ１５０１ＹＥＳ）、制御部１５は、表示／操作部１３にＵＩ画面を表示し、当該画面上に、コインキットの現時点での残高を例えば図５に示す態様（残額表示画面１３５）で表示する（ステップＳ１５０２）。
【０１６８】
なお、この残高表示に関し、課金装置１８では、写真印刷サービス開始前に投入された金額を保持すると共に、写真プリント開始後、例えば、１枚の写真のプリントが行われる毎に、当該１枚のプリントに係わる利用料金を上記投入金額から減算しながら残額を逐次更新する課金処理を実施している。
【０１６９】
制御部１５は、上記課金処理によって算出される残額を課金装置１８から受け取り、プリント終了時点で表示されるＵＩ画面上に表示することにより、上記ステップＳ１５０２の残高表示を実現する。
【０１７０】
ステップＳ１５０２において、コインキットの残高を表示した後、制御部１５は、
課金装置１８から取得した上記課金処理結果に基づきコインキットの残高をチェックする（ステップＳ１５０３）。
【０１７１】
ここで、残高がある場合（ステップＳ１５０３：残金有り）、制御部１５は、表示／操作部１３のＵＩ画面をメインメニュー画面に切替える（ステップＳ１５０７）。
【０１７２】
また、残高が“０”円であった場合（ステップＳ１５０３：残金“０”円）、制御部１５（メディア取り忘れ確認部１５３）は、メディア装着検出手段（メディア検出センサ１２８またはアクセスチェック部１５１）の検出結果を取り込み、記録メディア５の実装が検出されているか未実装が検出されているかによって記録メディア５の取り忘れがあるかないかを確認する（ステップＳ１５０４）。
【０１７３】
ここで、記録メディア５の取り忘れがなかった場合（ステップＳ１５０４ＮＯ）、制御部１５は、表示／操作部１３のＵＩ画面をメインメニュー画面に切替える（ステップＳ１５０７）。
【０１７４】
これに対し、記録メディア５の取り忘れがある場合（ステップＳ１５０４ＹＥＳ）、制御部１５は、表示／操作部１３のＵＩ画面上に、記録メディア５の取り忘れがある旨を例えば図６に示す画面１３７のような表示内容で表示する（ステップＳ１５０５）。
【０１７５】
上記記録メディア５の取り忘れ警告の表示後、制御部１５は、メディア装着検出手段の検出結果を監視し、メディアリーダユニット１２Ａから記録メディア５が抜かれたか否かをチェックする（ステップＳ１５０６）。
【０１７６】
ここで、メディア装着検出手段の検出結果がメディア未実装に相当する場合、制御部１５は、この検出結果から記録メディア５が抜かれたと認識し（ステップＳ１５０６ＹＥＳ）、表示／操作部１３のＵＩ画面をメインメニュー画面に切替える（ステップＳ１５０７）。
【０１７７】
このように、第５の実施例では、印刷動作またはＵＩ画面の表示制御に関する特定の動作条件として、プリント終了後、課金装置１８のコインキットの残高が“０”円になったことを認識し、当該残高が“０”円になったことに対応して、メディア装着検出手段の検出結果に基づき記録メディア５の取り忘れを確認し、取り忘れがある場合は、その旨を報知して記録メディア５の抜出しをユーザに促すようにしている。
【０１７８】
かかる制御によれば、プリント終了後、残高が“０”円でそれ以上にプリントできない状態の時に記録メディア５が抜かれていない場合にその旨が報知される結果、ユーザが画像形成装置１００から離れる前に記録メディア５を抜出すことを促してその取り忘れを防止することができる。
【０１７９】
第６の実施例：
第６の実施例に係わる画像形成装置１００では、写真プリント実行中、ＵＩ画面上で、“プリント中止”ボタンが押下された場合に、制御部１５が、メディア装着検出手段（メディア検出センサ１２８またはアクセスチェック部１５１）の検知結果から記録メディア５の取り忘れがあるか否かを確認する。
【０１８０】
図１６は、本実施例に係わる画像形成装置１００の記録メディア取り忘れ防止制御動作を示すフローチャートである。
【０１８１】
この実施例に係わる画像形成装置１００では、表示／操作部１３に表示されるＵＩ画面を用いて写真の選択や枚数等の設定を経て写真プリント開始指示がなされると（ステップＳ１６０１ＹＥＳ）、制御部１５の制御下で、上述した写真プリント動作が開始される（ステップＳ１６０２）。
【０１８２】
この写真プリント実行中、制御部１５は、表示／操作部１３にプリント中画面１３３（図４参照）を表示する。
【０１８３】
このプリント中画面１３３には、写真プリント実行中であることを示す情報、当該写真プリントの進捗状況の他、プリントの中止を指示する“プリント中止”ボタンも表示される。
【０１８４】
上記ステップ１６０２での写真プリント動作の実行中、制御部１５は、プリント中画面１３３上で“プリント中止”ボタンが押下されたか否かを監視する（ステップＳ１６０３）。
【０１８５】
ここで、プリント実行中に“プリント中止”ボタンが押下されない（ステップＳ１６０３ＮＯ）間、プリントが継続される。
【０１８６】
これに対し、プリント実行中に“プリント中止”ボタンが押下された場合（ステップＳ１６０３ＹＥＳ）、制御部１５（メディア取り忘れ確認部１５３）は、メディア装着検出手段（メディア検出センサ１２８またはアクセスチェック部１５１）の検出結果を取り込み、記録メディア５の実装が検出されているか未実装が検出されているかによって記録メディア５の取り忘れがあるかないかを確認する（ステップＳ１６０４）。
【０１８７】
ここで、記録メディア５の取り忘れがなかった場合（ステップＳ１６０４ＮＯ）、制御部１５は、表示／操作部１３のＵＩ画面をメインメニュー画面に切替える（ステップＳ１６０７）。
【０１８８】
これに対し、記録メディア５の取り忘れがある場合（ステップＳ１６０４ＹＥＳ）、制御部１５は、表示／操作部１３のＵＩ画面上に、記録メディア５の取り忘れがある旨を例えば図６に示すような表示内容で表示する（ステップＳ１６０５）。
【０１８９】
上記記録メディア５の取り忘れ警告の表示後、制御部１５は、メディア装着検出手段の検出結果を監視し、メディアリーダユニット１２Ａから記録メディア５が抜かれたか否かをチェックする（ステップＳ１６０６）。
【０１９０】
ここで、メディア装着検出手段の検出結果がメディア未実装に相当する場合、制御部１５は、この検出結果から記録メディア５が抜かれたと認識し（ステップＳ１６０６ＹＥＳ）、表示／操作部１３のＵＩ画面をメインメニュー画面に切替える（ステップＳ１６０７）。
【０１９１】
このように、第６の実施例では、ＵＩ画面の表示制御に関する特定の動作条件として、プリント実行中、ＵＩ画面上で、“プリント中止”ボタンが押下されたことを認識し、該“プリント中止”ボタンの押下に対応して、メディア装着検出手段の検出結果を用いて記録メディア５の取り忘れがあるかないかを検知し、取り忘れがある場合は、その旨を報知して記録メディア５の抜き取りをユーザに促すようにしている。
【０１９２】
かかる制御によれば、プリント中にユーザの都合で“プリント中止”ボタンが押下された時に記録メディア５が抜かれていない場合にその旨が報知されるため、ユーザは自己の都合でプリントを中止した時点で記録メディア５を抜出す作業を行うことができ、画像形成装置１００を離れる前に記録メディア５を抜出す機会を増やして当該記録メディア５の取り忘れを減少させることができる。
【０１９３】
第７の実施例：
第７の実施例に係わる画像形成装置１００では、メディア装着検出手段として、上述した第１及び第２の検出方法のうち、特に、第２の検出方法に基づき記録メディア５の実装／非実装を光学的に検出するメディア検出センサ１２８（図１０参照）を実装している。
【０１９４】
図１７は、この実施例に係わる画像形成装置１００のメディア取り忘れ防止制動作を示すフローチャートである。
【０１９５】
この実施例に係わる画像形成装置１００では、上述した写真プリント動作中、制御部１５が当該プリントが終了（例えば、印刷処理終了、若しくは最終印刷後の用紙が排出完了）したか否かを監視する（ステップＳ１７０１）。
【０１９６】
ここで、プリントが終了したことが認識された場合（ステップＳ１７０１ＹＥＳ）、制御部１５では、メディア取り忘れ確認部１５３が、メディア検出センサ１２８の検出出力（受光素子１２８ｂの受光出力）を取り込み（ステップＳ１７０２）、該検出出力に基づいて記録メディア５の取り忘れがあるかないかを確認する（ステップＳ１７０３）。
【０１９７】
具体的に、メディア取り忘れ確認部１５３では、上記受光出力が規定レベルに達していない場合〔図１０（ｂ）に示すように、発光素子１２８ａから出射した光が記録メディア５に遮られて受光素子１２８ｂに受光されない状態〕には、記録メディア５が実装状態であると認識し、該認識結果から、記録メディア５の取り忘れがあるとの確認を行い、上記受光出力が規定レベルである場合〔発光素子１２８ａから出射された光が受光素子１２８ｂにより直に受光される状態〕には、記録メディア５が未実装状態であると認識し、該認識結果から、記録メディア５の取り忘れがないとの確認を行う。
【０１９８】
上記ステップＳ１７０３の認識処理において、記録メディア５の取り忘れがなかった場合（ステップＳ１７０３ＮＯ）、制御部１５は、表示／操作部１３のＵＩ画面をメインメニュー画面に切替える（ステップＳ１７０６）。
【０１９９】
これに対し、記録メディア５の取り忘れがある場合（ステップＳ１７０３ＹＥＳ）、制御部１５は、表示／操作部１３のＵＩ画面上に、記録メディア５の取り忘れがある旨を例えば図６に示す画面１３７のような表示内容で表示する（ステップＳ１７０４）。
【０２００】
引き続き、制御部１５は、メディア検出センサ１２８の検出出力を監視し、メディアリーダユニット１２Ａから記録メディア５が抜かれたか否かをチェックする（ステップＳ１７０５）。
【０２０１】
ここで、メディア検出センサ１２８の検出出力がメディア実装検出出力（受光出力が規定レベルに達していない）である場合、制御部１５は、該検出出力から記録メディア５が抜かれていないものと認識し（ステップＳ１７０５ＮＯ）、引き続きチェックを続行する。
【０２０２】
一方、メディア検出センサ１２８の検出出力がメディア未実装検出出力（受光出力が規定レベル）である場合、制御部１５は、該検出出力から記録メディア５が抜かれたと認識し（ステップＳ１７０５ＹＥＳ）、表示／操作部１３のＵＩ画面をメインメニュー画面に切替える（ステップＳ１７０６）。
【０２０３】
このように、第７の実施例に係わる画像形成装置１００では、メディアリーダユニット１２Ａに発光素子１２８ａとこれに対向する受光素子１２８ｂから成るメディア検出センサ１２８（図１０参照）を実装し、メディアリーダユニット１２Ａに対する記録メディア５の実装／非実装を光学的に検出している。
【０２０４】
この構成によれば、上述した第２の検出方法により、記録メディア５に対するアクセスチェックによって該記録メディア５の実装／未実装を検出する場合のように、記録メディア５に対して通電を行う必要がない。よって、このような通電を行うことなく、記録メディア５の取り忘れを確認することができる。
【０２０５】
また、このメディア検出センサ１２８を用いた場合、図１０（ｃ）に示すように、記憶メディア５の抜出し途中において、メディア検出センサ１２８の発光素子１２８ａ、受光素子１２８ｂ間に記録メディア５が介在している限りメディア実装状態が検出され、この間、自動開閉カバー１２６は開放状態に維持される。
【０２０６】
この点、アクセスチェックによりメディア実装／未実装を検出する方法では、記録メディア５を抜出す際、記録メディア５の電極部５１がコネクタ１２３から離れると自動開閉カバー１２６が閉じるため、記憶メディア５の抜出し途中で自動開閉カバー１２６が閉まり〔図１０（ｃ）に点線で示す状態〕、記録メディア５が破損する危険性もあった。
【０２０７】
これに対し、メディア検出センサ１２８を適用した場合には、図１０（ｃ）に示すように、発光素子１２８ａ、受光素子１２８ｂ間を記録メディア５が完全に抜け出るまで自動開閉カバー１２６が閉まることがないため、抜出し途中での記録メディア５が自動開閉カバー１２６に触れることはなく、該記録メディア５の損傷防止に寄与できる。
【０２０８】
この他、本発明は、上記し、且つ図面に示す実施例に限定することなく、その要旨を変更しない範囲内で適宜変形して実施できるものである。
【０２０９】
例えば、上記各実施例では、表示機能並びに入力機能を有する操作画面上での操作に基づき印刷（原稿コピーあるいは写真プリント）を行うようにしているが、こうした操作画面以外の入力機能を用いて印刷を行うものにも適用可能である。
【０２１０】
また、上記各実施例では、記録メディア５としてスマートメディアを用いる場合の例を挙げたが、これ以外にも、例えば、コンパクトフラッシュ（登録商標）、ＳＤメモリカード等の記録メディアを用いる場合にも本発明は有効である。
【０２１１】
また、上記各実施例では、本発明に係わる画像形成装置として、コンビニエンスストア等に設置される課金を伴うMedia to Print サービスを提供する画像形成装置への適用例について述べているが、第５の実施例を除いては、一般のオフィスや家庭で使用する、課金を伴わない画像形成装置にも適用可能である。
【産業上の利用可能性】
【０２１２】
本発明は、ＵＩ画面からの指示に基づき記録メディアのメディアデータをプリントするMedia to Print サービス用の画像形成装置に適用可能であって、課金によるつり銭排出を伴う装置か否かに拘わらず、これら各タイプの装置での印刷終了後における記録メディアの取り忘れ防止に有用である。
【図面の簡単な説明】
【０２１３】
【図１】本発明に係る画像形成装置の全体構成を示すブロック図。
【図２】本発明に係わる画像形成装置の外観構成を示す概念図。
【図３】初期画面の表示例を示す図。
【図４】プリント中画面の表示例を示す図。
【図５】残金表示画面の表示例を示す図。
【図６】記録メディア取り忘れ警告メッセージの表示例を示す図。
【図７】本発明で用いる記録メディアの構成を示す図。
【図８】図７における記録メディア電極部のピン機能を示す表図。
【図９】第１の検出方法に基づくメディア装着検出手順を示す概念図。
【図１０】第２の検出方法に基づくメディア装着検出手順を示す概念図。
【図１１】第１の実施例に係わるメディア取り忘れ防止制御動作を示すフローチャート。
【図１２】第２の実施例に係わるメディア取り忘れ防止制御動作を示すフローチャート。
【図１３】第３の実施例に係わるメディア取り忘れ防止制御動作を示すフローチャート。
【図１４】第４の実施例に係わるメディア取り忘れ防止制御動作を示すフローチャート。
【図１５】第５の実施例に係わるメディア取り忘れ防止制御動作を示すフローチャート。
【図１６】第６の実施例に係わるメディア取り忘れ防止制御動作を示すフローチャート。
【図１７】第７の実施例に係わるメディア取り忘れ防止制御動作を示すフローチャート。
【符号の説明】
【０２１４】
１００…画像形成装置、５…記録メディア、５１…電極部、５２…プロテクトシール貼付部、１１…原稿読取部、１２…記録媒体読取部（メディアリーダ）、１２Ａ…メディアリーダユニット、１２１…ユニット筐体、１２２…基板、１２３…コネクタ、１２４…メディアガイド、１２５…メディア着脱口、１２６…自動開閉カバー、１２８…メディア検出センサ、１２８ａ…発光素子、１２８ｂ…受光素子、１３…表示／操作部、１３１…初期画面、１３３…プリント中画面、１３７…取り忘れ警告メッセージ表示画面、１４…記憶部、１５…制御部、１５１…アクセスチェック部、１５５…メディア取り忘れ確認部、１７…プリンタ、１７１…排出トレイ、１７２…排出用紙検出センサ、１８…課金装置、１９…レシートプリンタ、Ｕ１…制御ユニット、Ｕ２…記録媒体読取ユニット、Ｕ３…印刷ユニット、Ｕ４…課金処理ユニット
【図１】
2005085000.tif 000003
【図２】
2005085000.tif 000004
【図３】
2005085000.tif 000005
【図４】
2005085000.tif 000006
【図５】
2005085000.tif 000007
【図６】
2005085000.tif 000008
【図７】
2005085000.tif 000009
【図８】
2005085000.tif 000010
【図９】
2005085000.tif 000011
【図１０】
2005085000.tif 000012
【図１１】
2005085000.tif 000013
【図１２】
2005085000.tif 000014
【図１３】
2005085000.tif 000015
【図１４】
2005085000.tif 000016
【図１５】
2005085000.tif 000017
【図１６】
2005085000.tif 000018
【図１７】
2005085000.tif 000019